(57)【特許請求の範囲】
【請求項１】
ＴＤＤ（Ｔｉｍｅ  Ｄｉｖｉｓｉｏｎ  Ｄｕｐｌｅｘ）通信システムにおいてユーザ機器で非周期的サウンディング参照信号（ＳＲＳ）を送信する方法であって、
前記方法は、
基地局から、複数のアンテナを用いてダウンリンクデータを受信するためのダウンリンク制御情報（ＤＣＩ）を受信することであって、前記ＤＣＩは、前記非周期的ＳＲＳの要請を含み、前記ＤＣＩは、ダウンリンクのためのＤＣＩフォーマットのものである、ことと、
前記要請に応じて、前記非周期的ＳＲＳを前記基地局に送信することと
を含む、方法。
【請求項２】
上位層を通じて前記非周期的ＳＲＳの少なくとも１つのパラメータを受信することをさらに含む、請求項１に記載の方法。
【請求項３】
前記制御情報は、前記非周期的ＳＲＳの少なくとも１つのパラメータを含む、請求項１に記載の方法。
【請求項４】
前記制御情報がｎ番目のサブフレームで受信される場合に、
前記非周期的ＳＲＳは、ｎ＋ｋ番目のサブフレーム（ただし、ｋ≧４）で送信される、請求項１に記載の方法。
【請求項５】
ＴＤＤ（Ｔｉｍｅ  Ｄｉｖｉｓｉｏｎ  Ｄｕｐｌｅｘ）通信システムにおけるユーザ機器であって、
前記ユーザ機器は、
基地局から、複数のアンテナを用いてダウンリンクデータを受信するためのダウンリンク制御情報（ＤＣＩ）を受信するように構成された受信モジュールであって、前記ＤＣＩは、非周期的ＳＲＳの要請を含み、前記ＤＣＩは、ダウンリンクのためのＤＣＩフォーマットのものである、受信モジュールと、
前記要請に応じて、非周期的ＳＲＳを前記基地局に送信するように構成された送信モジュールと
を備える、ユーザ機器。
【請求項６】
前記受信モジュールは、上位層を通じて前記非周期的ＳＲＳの少なくとも１つのパラメータを受信する、請求項５に記載のユーザ機器。
【請求項７】
前記制御情報は、前記非周期的ＳＲＳの少なくとも１つのパラメータを含む、請求項５に記載のユーザ機器。
【請求項８】
前記制御情報がｎ番目のサブフレームで受信される場合に、
前記非周期的ＳＲＳは、ｎ＋ｋ番目のサブフレーム（ただし、ｋ≧４）で送信される、請求項５に記載のユーザ機器。
【発明の詳細な説明】
【技術分野】
【０００１】
本発明は、無線通信システムに係り、特に、無線通信システムにおいて端末が非周期的サウンディング参照信号を基地局に送信する方法及びそのための装置に関するものである。
【背景技術】
【０００２】
本発明の適用されうる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例として、Ｅ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムで、現在、３ＧＰＰで基礎的な標準化作業が進行中である。一般に、Ｅ−ＵＭＴＳは、ＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７及びＲｅｌｅａｓｅ  ８を参照すればよい。
【０００４】
図１を参照すると、Ｅ−ＵＭＴＳは、端末（Ｕｓｅｒ  Ｅｑｕｉｐｍｅｎｔ；ＵＥ）１２０、基地局（ｅＮｏｄｅ  Ｂ；ｅＮＢ）１１０ａ及び１１０ｂ、及びネットワーク（Ｅ−ＵＴＲＡＮ）の末端に位置して外部ネットワークと接続する接続ゲートウェイ（Ａｃｃｅｓｓ  Ｇａｔｅｗａｙ；ＡＧ）を含む。基地局は、ブロードキャストサービス、マルチキャストサービス及び／またはユニキャストサービスのために多重データストリームを同時に転送することができる。
【０００５】
一つの基地局には一つ以上のセルが存在する。セルは、１．２５、２．５、５、１０、１５、２０ＭＨｚなどの帯域幅のいずれか一つに設定され、多数の端末にダウンリンクまたはアップリンク転送サービスを提供する。互いに異なるセルは、互いに異なる帯域幅を提供するように設定することができる。基地局は、多数の端末へのデータ送受信を制御する。ダウンリンク（Ｄｏｗｎｌｉｎｋ；ＤＬ）データについて、基地局は、ダウンリンクスケジューリング情報を転送し、該当の端末にデータの転送される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、アップリンク（Ｕｐｌｉｎｋ；ＵＬ）データについて、基地局は、アップリンクスケジューリング情報を該当の端末に転送し、該当の端末が使用可能な時間／周波数領域、符号化、データサイズ、ＨＡＲＱ関連情報などを知らせる。基地局の間には、ユーザトラフィックまたは制御トラフィック転送のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥまで開発されてきたが、ユーザと事業者の要求及び期待は増加する一方である。また、他の無線接続技術の開発も相次いでいるため、将来、競争力を持つためには新しい技術進化が要求される。ビット当たりのコストの低減、サービス可用性の増大、融通性ある周波数バンドの使用、単純構造と開放型インターフェース、端末の適切なパワー消耗などが要求される。
【０００７】
近年、３ＧＰＰは、ＬＴＥの後続技術に対する標準化作業を進行している。この技術を、本明細書では「ＬＴＥ−Ａｄｖａｎｃｅｄ」または「ＬＴＥ−Ａ」と称する。ＬＴＥシステムとＬＴＥ−Ａシステムとの主な相違点の一つは、システム帯域幅である。ＬＴＥ−Ａシステムは、最大１００ＭＨｚの広帯域を支援することを目指しており、そのために、複数の周波数ブロックを用いて広帯域を達成する搬送波集約（ｃａｒｒｉｅｒ  ａｇｇｒｅｇａｔｉｏｎまたはｂａｎｄｗｉｄｔｈ  ａｇｇｒｅｇａｔｉｏｎ）技術を用いるようになっている。搬送波集約は、より広い周波数帯域を用いるために複数の周波数ブロックを一つの大きな論理周波数帯域として用いるようにする。各周波数ブロックの帯域幅は、ＬＴＥシステムで用いられるシステムブロックの帯域幅に基づいて定義されるとよい。それぞれの周波数ブロックは、コンポーネント搬送波を通じて転送される。
【発明の概要】
【発明が解決しようとする課題】
【０００８】
本発明の目的は、無線通信システムにおいて端末が基地局へ非周期的サウンディング参照信号を送信する方法及びそのための装置を提供することにある。
【０００９】
本発明が達成しようとする技術的課題は、上記の技術的課題に制限されず、言及していない他の技術的課題は、下の記載から、本発明の属する技術の分野における通常の知識を有する者には明確に理解されるであろう。
【課題を解決するための手段】
【００１０】
本発明の一様相である、無線通信システムにおいて端末が非周期的サウンディング参照信号を転送する方法は、基地局からダウンリンク制御チャネルを受信すること、前記ダウンリンク制御チャネルに含まれているダウンリンク転送のためのＤＣＩ（Ｄｏｗｎｌｉｎｋ  Ｃｏｎｔｒｏｌ  Ｉｎｆｏｒｍａｔｉｏｎ）フォーマットをデコーディングすること、前記ダウンリンク転送のためのＤＣＩフォーマットから非周期的サウンディング参照信号の転送指示を確認すること、及び前記転送指示に応じて、非周期的サウンディング参照信号を前記基地局に転送すること、を含むことを特徴とする。ここで、前記ダウンリンク制御チャネルをｎ番目のサブフレームで受信する場合に、前記非周期的サウンディング参照信号は、ｎ＋ｋ番目のサブフレーム（ただし、ｋ≧４）で送信することを特徴とする。
【００１１】
好ましくは、上記方法は、上位層を通じて前記非周期的サウンディング参照信号の転送パラメータを受信することをさらに含むことができる。また、ダウンリンク転送のためのＤＣＩフォーマット自体が前記非周期的サウンディング参照信号の転送パラメータに関する情報を含むようにしてもよく、ここで、ダウンリンク転送のためのＤＣＩフォーマットは、多重アンテナ送受信のためのＤＣＩフォーマットでよい。
【００１２】
本発明の他の様相である端末装置は、基地局からダウンリンク制御チャネルを受信する受信モジュールと、前記ダウンリンク制御チャネルに含まれているダウンリンク転送のためのＤＣＩ（Ｄｏｗｎｌｉｎｋ  Ｃｏｎｔｒｏｌ  Ｉｎｆｏｒｍａｔｉｏｎ）フォーマットをデコーディングし、前記ダウンリンク転送のためのＤＣＩフォーマットから非周期的サウンディング参照信号の転送指示を確認するプロセッサと、前記転送指示に応じて、非周期的サウンディング参照信号を前記基地局に転送する送信モジュールを含むことを特徴とする。ここで、前記ダウンリンク制御チャネルをｎ番目のサブフレームで受信する場合に、前記非周期的サウンディング参照信号は、ｎ＋ｋ番目のサブフレーム（ただし、ｋ≧４）で送信することを特徴とする。
【００１３】
好ましくは、前記受信モジュールが上位層を通じて前記非周期的サウンディング参照信号の転送パラメータを受信する構成とすることができる。また、前記ダウンリンク転送のためのＤＣＩフォーマットは、前記非周期的サウンディング参照信号の転送パラメータに関する情報を含むことができ、ここで、ダウンリンク転送のためのＤＣＩフォーマットは、多重アンテナ送受信のためのＤＣＩフォーマットでよい。
本願明細書は、例えば、以下の項目も提供する。
（項目１）
無線通信システムにおいて端末が非周期的サウンディング参照信号を転送する方法であって、
基地局からダウンリンク制御チャネルを受信し、
前記ダウンリンク制御チャネルに含まれているダウンリンク転送のためのＤＣＩ（Ｄｏｗｎｌｉｎｋ  Ｃｏｎｔｒｏｌ  Ｉｎｆｏｒｍａｔｉｏｎ）フォーマットをデコーディングし、
前記ダウンリンク転送のためのＤＣＩフォーマットから非周期的サウンディング参照信号の転送指示を確認し、
前記転送指示に応じて、非周期的サウンディング参照信号を前記基地局に転送すること、
を含む非周期的サウンディング参照信号の転送方法。
（項目２）
上位層を通じて前記非周期的サウンディング参照信号の転送パラメータを受信することをさらに含む、項目１に記載の非周期的サウンディング参照信号の転送方法。
（項目３）
前記ダウンリンク転送のためのＤＣＩフォーマットは、前記非周期的サウンディング参照信号の転送パラメータに関する情報を含む、項目１に記載の非周期的サウンディング参照信号の転送方法。
（項目４）
前記ダウンリンク制御チャネルをｎ番目のサブフレームで受信する場合に、
前記非周期的サウンディング参照信号は、ｎ＋ｋ番目のサブフレーム（ただし、ｋ≧４）で送信することを特徴とする、項目１に記載の非周期的サウンディング参照信号の転送方法。
（項目５）
前記ダウンリンク転送のためのＤＣＩフォーマットは、多重アンテナ送受信のためのＤＣＩフォーマットであることを特徴とする、項目３に記載の非周期的サウンディング参照信号の転送方法。
（項目６）
無線通信システムにおける端末装置であって、
基地局からダウンリンク制御チャネルを受信する受信モジュールと、
前記ダウンリンク制御チャネルに含まれているダウンリンク転送のためのＤＣＩ（Ｄｏｗｎｌｉｎｋ  Ｃｏｎｔｒｏｌ  Ｉｎｆｏｒｍａｔｉｏｎ）フォーマットをデコーディングし、前記ダウンリンク転送のためのＤＣＩフォーマットから非周期的サウンディング参照信号の転送指示を確認するプロセッサと、
前記転送指示に応じて、非周期的サウンディング参照信号を前記基地局に転送する送信モジュールと、
を備える端末装置。
（項目７）
前記受信モジュールは、上位層を通じて前記非周期的サウンディング参照信号の転送パラメータを受信する、項目６に記載の端末装置。
（項目８）
前記ダウンリンク転送のためのＤＣＩフォーマットは、前記非周期的サウンディング参照信号の転送パラメータに関する情報を含む、項目６に記載の端末装置。
（項目９）
前記ダウンリンク制御チャネルをｎ番目のサブフレームで受信する場合に、
前記非周期的サウンディング参照信号は、ｎ＋ｋ番目のサブフレーム（ただし、ｋ≧４）で送信することを特徴とする、項目６に記載の端末装置。
（項目１０）
前記ダウンリンク転送のためのＤＣＩフォーマットは、多重アンテナ送受信のためのＤＣＩフォーマットであることを特徴とする、項目８に記載の端末装置。
【発明の効果】
【００１４】
本発明の実施例によれば、無線通信システムにおいて端末が基地局へ非周期的サウンディング参照信号を效果的に送信することができる。
【００１５】
本発明で得られる効果は、以上で言及した効果に制限されず、言及していない他の効果は、下の記載から、本発明の属する技術の分野における通常の知識を有する者には明確に理解されるであろう。
【図面の簡単な説明】
【００１６】
【図１】無線通信システムの一例としてＥ−ＵＭＴＳネットワーク構造を概略的に示す図である。
【図２】３ＧＰＰ無線接続ネットワーク規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）の構造を示す図である。
【図３】３ＧＰＰシステムに用いられる物理チャネル及びこれらチャネルを用いる一般的な信号転送方法を説明するための図である。
【図４】ＬＴＥシステムで用いられる無線フレームの構造を例示する図である。
【図５】ＬＴＥシステムで用いられるアップリンクサブフレームの構造を示す図である。
【図６】本発明の一実施例に係る通信送受信器のブロック構成図である。
【発明を実施するための形態】
【００１７】
以下、添付の図面を参照して説明された本発明の実施例から、本発明の構成、作用及び他の特徴が容易に理解されるであろう。以下に説明される実施例は、本発明の技術的特徴が３ＧＰＰシステムに適用された例とする。
【００１８】
以下、システム帯域が単一周波数ブロックを用いるシステムをレガシーシステム（ｌｅｇａｃｙ  ｓｙｓｔｅｍ）または狭帯域システム（ｎａｒｒｏｗｂａｎｄ  ｓｙｓｔｅｍ）と呼ぶ。これに対応して、システム帯域が複数の周波数ブロックを含み、少なくとも一つの周波数ブロックをレガシーシステムのシステムブロックとして用いるシステムを、進展したシステム（ｅｖｏｌｖｅｄ  ｓｙｓｔｅｍ）または広帯域システム（ｗｉｄｅｂａｎｄ  ｓｙｓｔｅｍ）と呼ぶ。レガシーシステムブロックに用いられる周波数ブロックは、レガシーシステムのシステムブロックと同じサイズを有する。一方、残り周波数ブロックのサイズは特に制限されないが、システム単純化のために、これら残り周波数ブロックのサイズも、レガシーシステムのシステムブロックサイズに基づいて決定することができる。一例として、３ＧＰＰ  ＬＴＥシステムと３ＧＰＰ  ＬＴＥ−Ａシステムとの関係は、レガシーシステムと進展したシステムとの関係である。
【００１９】
上記の定義に基づき、本明細書で３ＧＰＰ  ＬＴＥシステムをＬＴＥシステムまたはレガシーシステムと呼ぶ。また、ＬＴＥシステムを支援する端末をＬＴＥ端末またはレガシー端末と呼ぶ。これに対応して、３ＧＰＰ  ＬＴＥ−ＡシステムをＬＴＥ−Ａシステムまたは進展したシステムと呼ぶ。また、ＬＴＥ−Ａシステムを支援する端末をＬＴＥ−Ａ端末または進展した端末と呼ぶ。
【００２０】
便宜上、本明細書は、ＬＴＥシステム及びＬＴＥ−Ａシステムを挙げて本発明の実施例を説明するが、これは例示に過ぎず、本発明の実施例は、上記の定義に該当するいかなる通信システムに適用されてもよい。また、本明細書は、ＦＤＤ方式を基準にして本発明の実施例について説明するが、これは例示であり、本発明の実施例は、Ｈ−ＦＤＤ方式またはＴＤＤ方式にも容易に変形して適用することができる。
【００２１】
図２は、３ＧＰＰ無線接続ネットワーク規格に基づく端末とＥ−ＵＴＲＡＮとの間における無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）の構造を示す図である。制御プレーンは、端末（Ｕｓｅｒ  Ｅｑｕｉｐｍｅｎｔ；ＵＥ）とネットワークが呼を管理するために用いる制御メッセージが転送される通路のことを意味する。ユーザプレーンは、アプリケーション層で生成されたデータ、例えば、音声データまたはインターネットパケットデータなどが転送される通路のことを意味する。
【００２２】
第１の層である物理層は、物理チャネル（Ｐｈｙｓｉｃａｌ  Ｃｈａｎｎｅｌ）を用いて上位層に情報転送サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは転送チャネル（Ｔｒａｎｓｐｏｒｔ  Ｃｈａｎｎｅｌ）を通じて接続している。該転送チャネルを通じて媒体接続制御層と物理層との間にデータが移動する。送信側の物理層と受信側の物理層との間には物理チャネルを通じてデータが移動する。該物理チャネルは時間及び周波数を無線リソースとする。特に、物理チャネルは、ダウンリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２３】
第２の層における媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を通じて上位層である無線リンク制御（Ｒａｄｉｏ  Ｌｉｎｋ  Ｃｏｎｔｒｏｌ；ＲＬＣ）層にサービスを提供する。第２の層のＲＬＣ層は、信頼性あるデータ転送を支援する。ＲＬＣ層の機能は、ＭＡＣ内部の機能ブロックにより具現してもよい。第２の層におけるＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースにおいてＩＰｖ４やＩＰｖ６のようなＩＰパケットを效率的に転送するために、不必要な制御情報を減らすヘッダー圧縮（Ｈｅａｄｅｒ  Ｃｏｍｐｒｅｓｓｉｏｎ）機能を実行する。
【００２４】
第３の層の最下部に位置している無線リソース制御（Ｒａｄｉｏ  Ｒｅｓｏｕｒｃｅ  Ｃｏｎｔｒｏｌ；ＲＲＣ）層は、制御プレーンでのみ定義される。ＲＲＣ層は、無線ベアラ（Ｒａｄｉｏ  Ｂｅａｒｅｒ；ＲＢ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）と関連して論理チャネル、転送チャネル及び物理チャネルの制御を担当する。ＲＢとは、端末とネットワークとの間におけるデータ伝達のために第２の層により提供されるサービスのことを意味する。そのために、端末及びネットワークのＲＲＣ層は互いにＲＲＣメッセージを交換する。端末及びネットワークのＲＲＣ層の間にＲＲＣ接続（ＲＲＣ  Ｃｏｎｎｅｃｔｅｄ）がある場合に、端末は、ＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にあるようになる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を担当する。
【００２５】
基地局（ｅＮＢ）を構成する一つのセルは、１．２５、２．５、５、１０、１５、２０ＭＨｚなどの帯域幅のいずれか一つに設定され、複数の端末にダウンリンクまたはアップリンク転送サービスを提供する。それぞれ異なるセルは、互いに異なる帯域幅を提供するように設定することができる。
【００２６】
ネットワークから端末にデータを転送するダウンリンク転送チャネルは、システム情報を転送するＢＣＨ（Ｂｒｏａｄｃａｓｔ  Ｃｈａｎｎｅｌ）、ページングメッセージを転送するＰＣＨ（Ｐａｇｉｎｇ  Ｃｈａｎｎｅｌ）、ユーザトラフィックや制御メッセージを転送するダウンリンクＳＣＨ（Ｓｈａｒｅｄ  Ｃｈａｎｎｅｌ）などがある。ダウンリンクマルチキャストまたは放送サービスのトラフィックまたは制御メッセージは、ダウンリンクＳＣＨを通じて転送されてもよく、または、別のダウンリンクＭＣＨ（Ｍｕｌｔｉｃａｓｔ  Ｃｈａｎｎｅｌ）を通じて転送されてもよい。一方、端末からネットワークにデータを転送するアップリンク転送チャネルには、初期制御メッセージを転送するＲＡＣＨ（Ｒａｎｄｏｍ  Ａｃｃｅｓｓ  Ｃｈａｎｎｅｌ）、ユーザトラフィックや制御メッセージを転送するアップリンクＳＣＨ（Ｓｈａｒｅｄ  Ｃｈａｎｎｅｌ）がある。転送チャネルの上位にあり、転送チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２７】
図３は、３ＧＰＰシステムに用いられる物理チャネル及びこれらのチャネルを用いる一般的な信号転送方法を説明するための図である。
【００２８】
端末は、電源がついたり、新しくセルに進入したりした場合、基地局と同期を合わせる等の初期セル探索（Ｉｎｉｔｉａｌ  ｃｅｌｌ  ｓｅａｒｃｈ）作業を行う（Ｓ３０１）。そのために、端末は基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を合わせ、セルＩＤなどの情報を獲得することができる。その後、端末は、基地局から物理放送チャネル（Ｐｈｙｓｉｃａｌ  Ｂｒｏａｄｃａｓｔ  Ｃｈａｎｎｅｌ）を受信して、セル内の放送情報を獲得することができる。一方、端末は、初期セル探索段階においてダウンリンク参照信号（Ｄｏｗｎｌｉｎｋ  Ｒｅｆｅｒｅｎｃｅ  Ｓｉｇｎａｌ；ＤＬＲＳ）を受信してダウンリンクチャネル状態を確認することができる。
【００２９】
初期セル探索を終えた端末は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び該ＰＤＣＣＨに乗せられた情報に基づいて物理ダウンリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を獲得することができる（Ｓ３０２）。
【００３０】
一方、基地局に最初に接続したり、信号転送のための無線リソースがない場合に、端末は、基地局に対してランダムアクセス手順（Ｒａｎｄｏｍ  Ａｃｃｅｓｓ  Ｐｒｏｃｅｄｕｒｅ；ＲＡＣＨ）を行うことができる（段階Ｓ３０３乃至段階Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を通じて特定シーケンスをプリアンブルとして転送し（Ｓ３０３及びＳ３０５）、ＰＤＣＣＨ及び対応するＰＤＳＣＨを通じてプリアンブルに対する応答メッセージを受信することができる（Ｓ３０４及びＳ３０６）。競合ベースＲＡＣＨの場合に、衝突解決手順（Ｃｏｎｔｅｎｔｉｏｎ  Ｒｅｓｏｌｕｔｉｏｎ  Ｐｒｏｃｅｄｕｒｅ）をさらに行うことができる。
【００３１】
上述のような手順を行った端末は、以降、一般的なアップリンク／ダウンリンク信号転送手順として、ＰＤＣＣＨ／ＰＤＳＣＨの受信（Ｓ３０７）、及び物理アップリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）の転送（Ｓ３０８）を行うことができる。端末がアップリンクを通じて基地局に転送する、または端末が基地局から受信する制御情報は、ダウンリンク／アップリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムにおいて、端末は、上記のＣＱＩ／ＰＭＩ／ＲＩなどの制御情報をＰＵＳＣＨ及び／またはＰＵＣＣＨを通じて転送することができる。
【００３２】
図４は、ＬＴＥシステムで用いられる無線フレームの構造を例示する図である。
【００３３】
図４を参照すると、無線フレーム（ｒａｄｉｏ  ｆｒａｍｅ）は、１０ｍｓ（３２７２００・Ｔｓ）の長さを有し、１０個の均等なサイズのサブフレーム（ｓｕｂｆｒａｍｅ）で構成されている。それぞれのサブフレームは、１ｍｓの長さを有し、２個のスロット（ｓｌｏｔ）で構成されている。それぞれのスロットは、０．５ｍｓ（１５３６０・Ｔｓ）の長さを有する。ここで、Ｔｓは、サンプリング時間を表し、Ｔｓ＝１／（１５ｋＨｚ×２０４８）＝３．２５５２×１０−８（約３３ｎｓ）で表示される。スロットは、時間領域において複数のＯＦＤＭシンボル或いはＳＣ−ＦＤＭＡシンボルを含み、周波数領域において複数のリソースブロック（Ｒｅｓｏｕｒｃｅ  Ｂｌｏｃｋ）を含む。ＬＴＥシステムにおいて、一つのリソースブロックは１２個の副搬送波×７（６）個のＯＦＤＭシンボル或いはＳＣ−ＦＤＭＡシンボルを含む。データが転送される単位時間であるＴＴＩ（Ｔｒａｎｓｍｉｓｓｉｏｎ  Ｔｉｍｅ  Ｉｎｔｅｒｖａｌ）は、一つ以上のサブフレーム単位に定めることができる。上述した無線フレームの構造は例示に過ぎず、無線フレームに含まれるサブフレームの数、サブフレームに含まれるスロットの数、スロットに含まれるＯＦＤＭシンボル或いはＳＣ−ＦＤＭＡシンボルの数は様々に変更可能である。
【００３４】
図５は、ＬＴＥシステムで用いられるアップリンクサブフレームの構造を示す図である。
【００３５】
図５を参照すると、ＬＴＥアップリンク転送の基本単位である１ｍｓ長さのサブフレーム５００は、２つの０．５ｍｓスロット５０１で構成される。一般（Ｎｏｒｍａｌ）巡回プレフィックス（Ｃｙｃｌｉｃ  Ｐｒｅｆｉｘ、ＣＰ）の長さを仮定すると、各スロットは、７個のシンボル５０２で構成され、１つのシンボルは１つのＳＣ−ＦＤＭＡシンボルに対応する。リソースブロック（Ｒｅｓｏｕｒｃｅ  Ｂｌｏｃｋ）５０３は、周波数領域で１２個の副搬送波、そして時間領域で１スロットに該当するリソース割当単位である。ＬＴＥのアップリンクサブフレームの構造は、データ領域５０４と制御領域５０５とに大別される。ここで、データ領域は、各端末に転送される音声、パケットなどのデータを送信するのに用いられる一連の通信リソースを意味し、サブフレーム内において制御領域以外の残りリソースに該当する。制御領域は、各端末からのダウンリンクチャネル品質報告、ダウンリンク信号に対する受信ＡＣＫ／ＮＡＣＫ、アップリンクスケジューリング要請などを送信するのに用いられる一連の通信リソースを意味する。
【００３６】
図５に示す例のように、１サブフレーム内でサウンディング参照信号が転送されうる領域５０６は、１サブフレームにおいて時間軸上で最後に位置するＳＣ−ＦＤＭＡシンボル区間であり、周波数上ではデータ転送帯域を通じて転送される。同じサブフレームの最後のＳＣ−ＦＤＭＡで転送される複数の端末のサウンディング参照信号は、周波数位置によって区別可能である。
【００３７】
また、サウンディング参照信号は、ＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスで構成され、複数の端末から転送されたサウンディング参照信号は、下記の式１による互いに異なる巡回シフト（ｃｙｃｌｉｃ  ｓｈｉｆｔ）値
0005868322.tif 000002
を有するＣＡＺＡＣシーケンス
【００３８】
【化１】
0005868322.tif 000003
である。
【００３９】
【数１】
0005868322.tif 000004
ここで、
【００４０】
【化２】
0005868322.tif 000005
は、上位層によって各端末に設定される値で、０乃至７の整数値を有する。そのため、巡回シフト値は、
【００４１】
【化３】
0005868322.tif 000006
によって８個の値を有することができる。
【００４２】
一つのＣＡＺＡＣシーケンスから巡回シフトを通じて発生したＣＡＺＡＣシーケンスは、それぞれ自身と異なる巡回シフト値を有するシーケンスと零の相関値（ｚｅｒｏ−ｃｏｒｒｅｌａｔｉｏｎ）を有する特性がある。このような特性から、同じ周波数領域のサウンディング参照信号をＣＡＺＡＣシーケンス巡回シフト値によって区別することができる。各端末のサウンディング参照信号は、基地局で設定するパラメータに基づいて周波数上に割り当てられる。端末は、アップリンクデータ転送帯域幅全体にわたってサウンディング参照信号を転送できるように、サウンディング参照信号の周波数跳躍を行う。
【００４３】
以下では、ＬＴＥシステムでサウンディング参照信号を送信するための物理リソースをマッピングする具体的な方法について説明する。
【００４４】
サウンディング参照信号シーケンス
【００４５】
【化４】
0005868322.tif 000007
は、まず、端末の送信電力
【００４６】
【化５】
0005868322.tif 000008
を満たすために振幅スケーリング因子
【００４７】
【化６】
0005868322.tif 000009
がかけられた後、インデックスが
【００４８】
【化７】
0005868322.tif 000010
であるリソース要素（Ｒｅｓｏｕｒｃｅ  Ｅｌｅｍｅｎｔ；ＲＥ）に
【００４９】
【化８】
0005868322.tif 000011
から下記の式２によってマッピングされる。
【００５０】
【数２】
0005868322.tif 000012
ここで、
【００５１】
【化９】
0005868322.tif 000013
は、サウンディング参照信号の周波数領域開始点を表し、下記の式３のように定義される。
【００５２】
【数３】
0005868322.tif 000014
ただし、
【００５３】
【化１０】
0005868322.tif 000015
は、周波数位置インデックスを指示する。また、一般的なアップリンクサブフレームのための
【００５４】
【化１１】
0005868322.tif 000016
は、下記の式４のように定義され、アップリンクパイロットタイムスロット（ＵｐＰＴＳ）のための
【００５５】
【化１２】
0005868322.tif 000017
は、下記の式５のように定義される。
【００５６】
【数４】
0005868322.tif 000018
【００５７】
【数５】
0005868322.tif 000019
式４及び式５で、
【００５８】
【化１３】
0005868322.tif 000020
は、上位層を通じて端末にシグナリングされる転送コム（ｔｒａｎｓｍｉｓｓｉｏｎＣｏｍｂ）パラメータで、０または１の値を有する。また、
【００５９】
【化１４】
0005868322.tif 000021
は、第１のハーフフレーム（ｈａｌｆ  ｆｒａｍｅ）のアップリンクパイロットタイムスロットでは０で、第２のハーフフレームのアップリンクパイロットタイムスロットでは０である。
【００６０】
【化１５】
0005868322.tif 000022
は、下記の式６のように定義された副搬送波単位で表現されたサウンディング参照信号シーケンスの長さ、すなわち帯域幅である。
【００６１】
【数６】
0005868322.tif 000023
式６で、
【００６２】
【化１６】
0005868322.tif 000024
は、下記の表１乃至表４に示すように、アップリンク帯域幅
【００６３】
【化１７】
0005868322.tif 000025
に基づいて基地局からシグナリングされる値である。
【００６４】
【化１８】
0005868322.tif 000026
を獲得するために、０乃至７の整数値であるセル特定パラメータ
【００６５】
【化１９】
0005868322.tif 000027
及び０乃至３の整数値である端末特定パラメータ
【００６６】
【化２０】
0005868322.tif 000028
が必要である。このような
【００６７】
【化２１】
0005868322.tif 000029
の値は上位層から与えられる。
【００６８】
【表１】
0005868322.tif 000030
【００６９】
【表２】
0005868322.tif 000031
【００７０】
【表３】
0005868322.tif 000032
【００７１】
【表４】
0005868322.tif 000033
上述したように、アップリンクデータ転送帯域幅全体でサウンディング参照信号を転送できるように、端末は、サウンディング参照信号の周波数跳躍（ｆｒｅｑｕｅｎｃｙ  ｈｏｐｐｉｎｇ）を行うことができ、このような周波数跳躍は、上位層から与えられた０乃至３の値を有するパラメータ
【００７２】
【化２２】
0005868322.tif 000034
によって設定される。
【００７３】
サウンディング参照信号の周波数跳躍が非活性化された場合に、すなわち、
【００７４】
【化２３】
0005868322.tif 000035
の場合に、周波数位置インデックス
【００７５】
【化２４】
0005868322.tif 000036
は、下記の式７のように一定の値を有する。ここで、
【００７６】
【化２５】
0005868322.tif 000037
は、上位層から与えられるパラメータである。
【００７７】
【数７】
0005868322.tif 000038
一方、サウンディング参照信号の周波数跳躍が活性化された場合に、すなわち、
【００７８】
【化２６】
0005868322.tif 000039
の場合に、周波数位置インデックス
【００７９】
【化２７】
0005868322.tif 000040
は、下記の式８及び式９によって定義される。
【００８０】
【数８】
0005868322.tif 000041
【００８１】
【数９】
0005868322.tif 000042
ここで、
【００８２】
【化２８】
0005868322.tif 000043
は、サウンディング参照信号を送信した回数を計算するパラメータであり、下記の式１０による。
【００８３】
【数１０】
0005868322.tif 000044
式１０で、
【００８４】
【化２９】
0005868322.tif 000045
は、サウンディング参照信号の周期であり、
【００８５】
【化３０】
0005868322.tif 000046
は、サウンディング参照信号のサブフレームオフセットを表す。また、
【００８６】
【化３１】
0005868322.tif 000047
はスロット番号、
【００８７】
【化３２】
0005868322.tif 000048
はフレーム番号を表す。
【００８８】
端末特定のサウンディング参照信号の周期
【００８９】
【化３３】
0005868322.tif 000049
とサブフレームオフセット
【００９０】
【化３４】
0005868322.tif 000050
を設定するための端末特定サウンディング参照信号設定インデックス
【００９１】
【化３５】
0005868322.tif 000051
は、ＦＤＤとＴＤＤに従ってそれぞれ下記の表５及び表６のように表す。特に、表５はＦＤＤの場合、表６はＴＤＤの場合を表す。
【００９２】
【表５】
0005868322.tif 000052
【００９３】
【表６】
0005868322.tif 000053
以上で説明した通り、端末は、基地局からＲＲＣシグナリングでパラメータ受信して、周期的サウンディング参照信号を転送する。これと違い、基地局は、非周期的サウンディング参照信号の転送を端末に指示し、端末は、当該指示に応じて非周期的サウンディング参照信号を基地局に転送する。
【００９４】
上述したＬＴＥシステムで定義された周期的サウンディング参照信号とは違い、非周期的サウンディング参照信号の転送をＬ１／Ｌ２制御シグナリングを用いて追加に指示する場合に、追加に転送される非周期的サウンディング参照信号は、１回または限定された回数のみ転送されるように設定してもよく、所定の周期で転送されるように設定してもよい。ここで、１回または限定された回数の制御シグナリングは、ＲＲＣシグナリングを通じて転送されてもよく、Ｌ１制御シグナリングを通じて転送されてもよく、あるいは端末と基地局との間にあらかじめ定義することによって追加のシグナリングによる追加のオーバーヘッドを防止するように設定されてもよい。ここで、サウンディング参照信号が転送されるサブフレームまたはサブフレームグループに関する情報もＬ１／Ｌ２制御シグナリングに含めることを考慮することもできる。
【００９５】
このように、非周期的サウンディング参照信号の送信において、追加されたサウンディング参照信号が送信されるシンボルは、既存の周期的サウンディング参照信号が割り当てられたサブフレームと同じサブフレームに割り当てられるように設定してもよく、異なるサブフレームに割り当てられるように設定してもよい。ここで、異なるサブフレームに割り当てるように設定するということは、例えば、従来のＬＴＥシステムで定義されている端末特定サウンディング参照信号周期が１ｍｓてあれば、非周期的サウンディング参照信号に割り当てられるシンボルの転送間隔を、端末特定サウンディング参照信号周期のサブセット、すなわち、周期の倍数である２ｍｓ、４ｍｓ、５ｍｓ、１０ｍｓ、２０ｍｓなどに設定する方法である。
【００９６】
これについて具体的に説明すると、従来ＬＴＥシステムでは、周期的にサウンディング参照信号が送信されるサブフレームは、セル特定設定を有している。もし、上述したように、追加に転送される非周期的サウンディング参照信号のためのシンボルが、既存の周期的サウンディング参照信号のためにセル特定に割り当てられるサブフレームと同じサブフレームに割り当てられるように設定する場合に、当該追加に転送されるサウンディング参照信号も、上記セル特定設定と同じ設定を有してもよく、あるいは周期的にサウンディング参照信号が送信されるように設定されているサブフレームのサブセット形態のサブフレームが、当該追加に転送されるサウンディング参照信号のために割り当てられてもよい。
【００９７】
すなわちＬ１／Ｌ２制御シグナリングによって指示される追加的サウンディング参照信号は、既存の周期的サウンディング参照信号が転送可能なサブフレームにおいて既存の周期的サウンディング参照信号を送信するために留保されているシンボル、非周期的サウンディング参照信号を送信するために留保されている他のシンボル、またはアップリンクＤＭ−ＲＳを送信するために割当あるいは留保されているシンボルで転送することができる。
【００９８】
このように、上記非周期的サウンディング参照信号転送を行うために、既存のサウンディング参照信号転送のために既に設定されたセル特定サブフレームでのみ転送可能なように設定でき、既に設定されたセル特定サブフレームでのみＰＵＳＣＨ穿孔（ｐｕｎｃｔｕｒｉｎｇ）を行うことによって、アップリンクデータスループットの損失を最小化することができる。
【００９９】
非周期的サウンディング参照信号のパラメータは、既存の周期的サウンディング参照信号の転送に用いられるリソース、例えば、セル特定サウンディング参照信号帯域幅設定、端末特定サウンディング参照信号帯域幅設定、周波数開始位置、転送コムパラメータなどをそのまま用いることができる。
【０１００】
または、非周期的サウンディング参照信号のパラメータは、既存の周期的サウンディング参照信号の転送に用いられた方法と同一にＲＲＣ制御信号であり、追加的サウンディング参照信号の転送に用いられるリソース、例えば、セル特定サウンディング参照信号帯域幅、端末特定サウンディング参照信号帯域幅、周波数開始位置、転送コムパラメータなどを用いて追加的サウンディング参照信号の転送を可能にすることができる。
【０１０１】
または、非周期的サウンディング参照信号は、セル特定サウンディング参照信号帯域幅設定、端末特定サウンディング参照信号帯域幅設定によらず、システム帯域幅で使用可能な全帯域設定を用いて転送することができる。例えば、システム帯域幅が５ＭＨｚの時は２４ＲＢ、１０ＭＨｚの時は４８ＲＢ、１５ＭＨｚの時は７２ＲＢ、そして２０ＭＨｚの時は９６ＲＢを占めるサウンディング参照信号を送信することができる。
【０１０２】
一方、非周期的サウンディング参照信号が転送される時間リソース、すなわち、サブフレームの位置は、ダウンリンク制御情報（Ｄｏｗｎｌｉｎｋ  Ｃｏｎｔｒｏｌ  Ｉｎｆｏｒｍａｔｉｏｎ；ＤＣＩ）に含まれた設定に従うか、または、これと特定関係にあるサブフレームとすることができる。以下では、非周期的サウンディング参照信号の転送をシグナリングする具体的な方法について説明する。
【０１０３】
まず、非周期的サウンディング参照信号の転送指示をアップリンク転送のためのＤＣＩフォーマットでシグナリングする方法を考慮することができる。すなわち、基地局がｎ番目のサブフレームでアップリンク転送のためのＤＣＩフォーマットで非周期的サウンディング参照信号の転送指示をシグナリングした場合に、端末は、受信したアップリンク転送のためのＤＣＩフォーマットをデコーディングした後に、ｎ＋ｋ番目のサブフレーム（ｋ≧４）で非周期的サウンディング参照信号を基地局に転送することができる。
【０１０４】
しかし、ＴＤＤシステムでは、ｎ＋ｋ番目のサブフレームがアップリンクサブフレームでない場合もあり、周期的サウンディング参照信号との衝突が発生する場合では非周期的サウンディング参照信号の転送を保障できないという問題点がある。
【０１０５】
そのため、非周期的サウンディング参照信号の転送指示をダウンリンク転送のためのＤＣＩフォーマットでシグナリングする方法がより好ましい。一般に、アップリンク転送のためのＤＣＩフォーマットよりもダウンリンク転送のためのＤＣＩフォーマットを端末がデコーディングする回数が多いため、端末は、基地局からのサウンディング要請に一層効率よく対応することができる。
【０１０６】
まず、基地局がダウンリンク転送のためのＤＣＩフォーマットでは単に非周期的サウンディング参照信号のトリガリング／解除、あるいは、活性化／非活性化シグナリングのみを指示する場合では、シグナリング情報の量が大きくないため、既存ＬＴＥシステムで用いるダウンリンク転送のためのＤＣＩフォーマットにおいて未使用情報ビットや当該ダウンリンク転送のためのＤＣＩフォーマットで活用できる特定コードポイントの組み合わせを活用することができる。この場合、上述したサウンディング参照信号のパラメータは、上位層、すなわち、ＲＲＣ層を通じてあらかじめシグナリングすることを考慮することができる。また、非周期的サウンディング参照信号はＬＴＥのための下位互換性を満たせないため、ＬＴＥシステム、すなわち、Ｒｅｌ−８／９では使用できず、ＬＴＥ−Ａシステム、すなわち、Ｒｅｌ−１０以降のＲｅｌｅａｓｅで非周期的サウンディング参照信号を使用できるため、ＬＴＥ−Ａシステムで新しく定義されるダウンリンク転送のためのＤＣＩフォーマットで使用する方法が考慮できる。例えば、Ｒｅｌ−１０で新しく定義される８×８ＭＩＭＯシステムのためのダウンリンク転送のためのＤＣＩフォーマットを用いる方法が考慮できる。
【０１０７】
また、非周期的サウンディング参照信号のトリガリング／解除、あるいは活性化／非活性化の他、サウンディング参照信号の転送のためのパラメータも全て動的にダウンリンク転送のためのＤＣＩフォーマットを用いてシグナリングする場合にも、ダウンリンクのＰＤＳＣＨの転送を伴わないという条件では、既存ＬＴＥシステムで用いるダウンリンク転送のためのＤＣＩフォーマットで未使用情報ビットや当該ダウンリンク転送のためのＤＣＩフォーマットで活用できる特定コードポイントの組み合わせを活用することができる。この場合、上述したサウンディング参照信号の端末特定サウンディング参照信号に関する全てのパラメータ、あるいは端末特定パラメータのうちサブセット形態のパラメータ、例えば巡回シフト（Ｃｙｃｌｉｃ  Ｓｈｉｆｔ；ＣＳ）、転送コム（Ｔｒａｎｓｍｉｓｓｉｏｎ  ｃｏｍｂ）、そして端末特定サウンディング参照信号の帯域幅などは動的にダウンリンク転送のためのＤＣＩフォーマットを用いてシグナリングするようにし、残りの端末特定パラメータと上述のサウンディング参照信号のセル特定パラメータは、上位層、すなわち、ＲＲＣ層を通じてあらかじめシグナリングすることが考慮できる。この場合も同様、ＬＴＥ−Ａシステムで新しく定義されるダウンリンク転送のためのＤＣＩフォーマットで用いる方法が考慮できる。例えば、Ｒｅｌ−１０で新しく定義される８×８ＭＩＭＯシステムのためのダウンリンク転送のためのＤＣＩフォーマットを用いる方法が考慮できる。例えば、ＬＴＥ−Ａシステムで新しく定義されたダウンリンク転送のためのＤＣＩフォーマット、例えば、８＊８ＭＩＭＯシステムのためのダウンリンク転送のためのＤＣＩフォーマットを用いることが考慮できる。
【０１０８】
図６には、本発明の一実施例に係る通信送受信器のブロック構成図を例示する。送受信器は、基地局または端末の一部でよい。
【０１０９】
図６を参照すると、送受信器６００は、プロセッサ６１０、メモリー６２０、ＲＦモジュール６３０、ディスプレイモジュール６４０及びユーザインターフェースモジュール６５０を含む。
【０１１０】
送受信器６００は、説明の便宜のために例示されたもので、一部のモジュールは省かれてもよい。或いは、送受信器６００は、必要なモジュールをさらに備えてもよい。また、送受信器６００において一部のモジュールはさらに細分化したモジュールにしてもよい。プロセッサ６１０は、図面を参照して例示した本発明の実施例に係る動作を実行するように構成される。
【０１１１】
具体的に、送受信器６００が基地局の一部の場合に、プロセッサ６１０は、制御信号を生成して複数の周波数ブロック内に設定された制御チャネルにマッピングする機能を実行することができる。また、送受信器６００が端末の一部の場合に、プロセッサ６１０は、複数の周波数ブロックで受信された信号から自身に指示された制御チャネルを確認し、制御信号を抽出することができる。
【０１１２】
その後、プロセッサ６１０は、制御信号に基づいて必要な動作を行うことができる。プロセッサ６１０の詳細な動作は、図１乃至図５に記載された内容を参照すればよい。
【０１１３】
メモリー６２０は、プロセッサ６１０に接続し、オペレーティングシステム、アプリケーション、プログラムコード、データなどを記憶する。ＲＦモジュール６３０は、プロセッサ６１０に接続し、基底帯域信号を無線信号に変換したり、無線信号を基底帯域信号に変換する機能を果たす。そのために、ＲＦモジュール６３０は、アナログ変換、増幅、フィルタリング及び周波数アップ変換、またはこれらの逆過程を行う。ディスプレイモジュール６４０は、プロセッサ６１０に接続し、様々な情報をディスプレイする。ディスプレイモジュール６４０は、これに制限されるものではないが、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール６５０は、プロセッサ６１０に接続し、キーパッド、タッチスクリーンなどのような周知のユーザインターフェースの組み合わせで構成することができる。
【０１１４】
以上説明してきた実施例は、本発明の構成要素及び特徴を所定形態に結合したものである。各構成要素または特徴は、別の明示的な言及がない限り、選択的なものとして考慮しなければならない。各構成要素または特徴は、他の構成要素や特徴と結合しない形態で実施することもでき、一部の構成要素及び／または特徴を結合して本発明の実施例を構成することもできる。本発明の実施例で説明される動作の順序は変更可能である。ある実施例の一部の構成や特徴は、別の実施例に含まれることもでき、別の実施例の対応する構成または特徴に代えることもできる。特許請求の範囲において明示的な引用関係を有しない請求項を結合して実施例を構成したり、出願後の補正により新しい請求項として含めたりすることができることは明らかである。
【０１１５】
本文書で、本発明の実施例は、端末と基地局間のデータ送受信関係を中心に説明された。本文書で基地局により行われるとした特定動作は、場合によっては、その上位ノード（ｕｐｐｅｒ  ｎｏｄｅ）により行われてもよい。すなわち、基地局を含む複数のネットワークノード（ｎｅｔｗｏｒｋ  ｎｏｄｅｓ）からなるネットワークにおいて端末との通信のために行われる様々な動作は、基地局または基地局以外の別のネットワークノードにより行われることは明らかである。基地局は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ａｃｃｅｓｓ  ｐｏｉｎｔ）などの用語に代替可能である。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に代替可能である。
【０１１６】
本発明に係る実施例は、様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０１１７】
ファームウェアやソフトウェアによる具現の場合、本発明の一実施例は、以上で説明された機能または動作を行うモジュール、手順、関数などの形態に具現することができる。ソフトウェアコードは、メモリユニットに記憶されて、プロセッサにより駆動されるものでよい。メモリユニットは、プロセッサの内部または外部に設けられ、既に公知の様々な手段によりプロセッサとデータを授受することができる。
【０１１８】
本発明は、本発明の特徴から逸脱しない範囲で別の特定の形態に具体化できるということは、当業者にとっては自明である。そのため、上記の詳細な説明は、いずれの面においても制限的に解釈してはならず、例示的なものとして考慮しなければならない。本発明の範囲は、添付の請求項の合理的な解釈により決定すべきであり、本発明の等価的範囲内における変更はいずれも本発明の範囲に含まれる。
【産業上の利用可能性】
【０１１９】
本発明は、無線通信システムに適用可能である。より具体的に、本発明は、周波数集約手法の適用された無線通信システムにおいてサウンディング参照信号を送信する方法及び装置に適用可能である。
【図１】
0005868322.tif 000054
【図２】
0005868322.tif 000055
【図３】
0005868322.tif 000056
【図４】
0005868322.tif 000057
【図５】
0005868322.tif 000058
【図６】
0005868322.tif 000059